(57)【要約】【課題】入浴者の体系、入浴姿勢及び浴槽のサイズに合わせて気泡の噴出場所を自由自在に設置、変更することができ、携帯性のある気泡風呂の提供【解決手段】気泡の量が調整できる噴射式ユニット2を浴槽内所望の場所に設置、空気供給機から供給された空気は、分離ジェットユニット1から左右送り込み、各噴射式ユニットまで空気を到達し、水中に気泡を発生させる。各ユニットに吸盤を装備し、着脱自在、簡単組み立て、収納を可能にした気泡風呂機能を有した。【選択図】図１
2008054895.tif 000002
【特許請求の範囲】
【請求項１】
浴槽内の湯水中にジェットユニットを装着、各ジェットユニットの間をホースでつなぎ、空気をブロワ等空気供給機で各ジェットユニットまで送り込み、浴槽の長さにより、装着ジェットユニットの個数の変更、入浴者の全身浴もしくは半身浴の形体に合わせ、所望により、個々のジェットユニット装着位置を調整して設置できることを特徴とする気泡風呂。
【請求項２】
空気供給機から着脱自在に浴槽内壁面に接続された分流ユニットを経由、浴槽の壁面の必要な箇所に、ホースの長さに合わせ、風量切替できるジェットユニットに繋ぎ、ホース末端のジェットユニットには、開放式ユニットを備え、空気供給機から各部材を連結し、噴射システムを有する、空気供給機から放出される空気の風量切替を個々のジェットユニットでできることを加え、分流ユニットにも風量調整を設置したことを特徴とする請求項1に記載の気泡風呂。
【請求項３】
ジェットユニットは浴槽内に吸盤で装着できることを特徴とし、浴槽内で全身浴、半身浴等の使用者に合わせられるように、高さや位置を所望の位置に変えて装着可能なことを特徴とする請求項2に記載の気泡風呂。
【請求項４】
ジェットユニットには空気を放出させる開閉バブル口が内蔵されていることを特徴とし、開閉キャップを回す事により、その角度によって開閉バブル口の穴が空気を放出することを特徴とする請求項3に記載の気泡風呂。
【請求項５】
各ジェットユニットはホースに接続する両端の太さを、空気の入る方を太く、出る方を細くすることにより、空気が入口から出口へとまっすぐ通過するのではなく、上方向にも噴射することを特徴とする請求項4に記載の気泡風呂。
【発明の詳細な説明】
【技術分野】
【０００１】
この発明は気泡を噴出させ、浴槽内の湯水中へ送り込む気泡風呂に関するものである。
【背景技術】
【０００２】
浴槽内に張られた湯水に、気泡を噴出させ、浴槽内に設置される気泡噴出マットや噴出口を介して浴槽内の湯水へ細かい気泡を送り込むことによって、入浴者に家庭でもマッサージ効果やリラックス効果をもたらすジェットバスが従来一般にしられている。
【０００３】
前記気泡噴出マットは通常浴槽内の底面に設置される板状に構成されているが、箱状に構成されたものも知られており、また、気泡噴出マットとは別に、気泡噴出口、各コーナーに設置する物も開発されている。
【特許文献１】特開２０００−１４００５７
【発明の開示】
【発明が解決しようとする課題】
【０００４】
しかしながら、通常この気泡噴出マットは吸盤などで浴槽の底面に取り付けるため、底面に滑り止め防止のついた浴槽においては適切に装着できず、また入浴者がマットの上に座ることにより、接触部分においては気泡の噴出の妨げとなり、またマットの四隅などの先端からの気泡の噴出は弱く、浴槽内に充分に行き渡るように気泡を噴出させようとするのは難しい。
【０００５】
また、気泡噴出マットや各コーナーに設置するタイプの気泡噴出口は、設置場所が固定されているので、入浴者の体系や、半身浴、全身浴といった入浴方法、各家庭の浴槽の形体、湯水の量、などに合わせて満足のいくように気泡を調節できないことを課題とする。
【０００６】
そこで、この発明は、上記した事情に鑑み、入浴者の体系や、半身浴、全身浴といった入浴方法、各家庭の浴槽の大きさ、湯水の量、に合わせて気泡の噴出場所を自由に設置変更することができ、個々のジェットユニットに風量切替スイッチを持った、気泡風呂を提供することを目的とするものである。
【課題を解決するための手段】
【０００７】
即ち、この請求項１に係る発明は、浴槽内の湯水中に空気供給機等で空気を送り込み、気泡噴出マットや各コーナーに設置するタイプの気泡噴出口を介して細かい気泡を発生させ浴槽内の湯水へ送り込む気泡風呂において、気泡を発生させるジェットユニットに個々に風量切替スイッチをつけ、吸盤で簡単に着脱でき、浴槽の形状や、半身浴、全身浴などの湯水の量にも合わせ、入浴者の所望の気泡の噴出位置や量を調節でき、設置可能にしたものである。
【発明の効果】
【０００８】
この発明は、浴槽内の湯水中に空気供給機で空気を送り込み、気泡噴出マットや噴出口を介して細かい気泡を発生させ、浴槽内の湯水へ送り込む気泡風呂において、気泡を発生させる気泡発生装置をユニット化させたものを浴槽内の所望の壁面に着脱自在に設置可能としたことにより、入浴者の好みや浴槽の形に合わせて気泡の噴出場所を自由に変更することができ、また各ジェットユニットに内蔵されている開閉バブル口9の風量切替スイッチのキャップ10によって、気泡の量を入浴者の好みに合わせて細かく調節できる。
【発明を実施するための最良の形態】
【０００９】
以下、添付図面を参照しながら本発明に係る泡風呂装置の実施の形態を説明する。図1乃至図2はこの発明に係る気泡風呂の全体構成を示す斜視図であり、図3は同平面図、図4は図2の5に示したジェットユニットの斜視図、図5は各ジェットユニットとホースの接続を示した平面図、図6はジェットユニットの風量切替スイッチの形態を示した斜視図、図7は同じくジェットユニットの風量切替方法について示した平面図である。
【００１０】
この実地例のジェットユニット２は、浴槽１の湯水の量に合わせた高さで、壁面に沿って設置可能であり、またジェットユニットは図5に示す通り、浴槽壁面に吸盤8で着脱可能となっている。
【００１１】
またこのジェットユニット2には、空気供給機4との連結を図るホース3が引き出されており、このホース3の先端部に分流ユニット5を取り付け、各ジェットユニットへ空気を供給する。この分流ユニットは浴槽内の各ホース6とホース6の間のどの部分にも接続でき、空気供給機を家庭の浴槽に合わせ所望の位置に設置できる。分流ユニット５も開閉バブル口があり、空気を放出できる。またジェットユニット同様に吸盤8で着脱可能となっている。
【００１２】
また、この分流ユニット5と空気供給機4との接続状態については特に、この実地例のものに限定されるものではなく、例えば浴槽のコーナー部等に空気供給機等の本体部を据え置く構成のものでもよい。
【００１３】
また、このジェットユニット2は、内部に図6の開閉バブル口9が内蔵されており、その上に付属している、図７に示す開閉バブル口のキャップ10を回すことにより空気供給機から送り込まれた風量切替ができる。なおこのジェットユニット2と空気供給機4との間はホース3で連結されているだけであり、特に電気的な配線がなされているのもではなく、ジェットユニット２を湯水中に設置しても、湯水中に電気が流れて感電するといった危険性が全く無いように構成されている。
【００１４】
そして、ジェットユニット2をつなぐホース6においては、一般的には四角型の浴槽が主であるが、例えば楕円などの浴槽にも合わせられるように、ソフトな材質で作られているので、必要な数を使い、浴槽の広さや形に合わせることができる。ホース間を連結するジェットユニットの形は図5に示されるように、空気が入る方の直系を太く、空気が出る方の直系を細くしたことにより空気が上方向に噴出するようになっている。またホース内部に空気がたまって、ホースが破裂することがないように、ホース先端用のジェットユニット7は空気の調節ができないよう開放口となっているので危険性が無い。
【００１５】
従って、この実習例によれば、使用者の好みにより、例えば家族の体系や浴槽の形、全身浴、半身浴といった湯水の量が異なる場合にも、そのお湯の量に対応してジェットユニットを移動させることができ、ホースの長さも必要な数だけ接続することができる。また、各ジェットユニットが個別に風量を切替することができるので、好みの箇所に対して空気を放出できる。
【００１６】
また、さらにこのジェットバスは従来のマット式よりより軽量で手入れの簡単なホース式を使っているのでコンパクトに収納でき、操作パネル上にそれぞれの機構を作動させる選択スイッチを設けてある上に、リモコンで浴槽から出なくても操作可能とし、より高機能のものが提供できる。
【００１７】
また、請求項２に係る発明によれば、ホースとジェットユニットを必要な数だけ連結して使えるようにしたことにより、浴槽全体でも、また、ジェットユニット１個ずつでも泡の放出を切替できるので、より入浴者の希望に合わせて、ジェット噴流によるマッサージ効果をもたらす刺激を楽しむことができる。
【図面の簡単な説明】
【００１８】
【図１】この発明に係る気泡風呂を示す概略構成図。
【図２】同気泡風呂の空気供給器とホースの接続状態を示す斜視図。
【図３】同平面図。
【図４】ジェットユニットを取付けることを示す斜視図。
【図５】同仕組みを示す平面図。
【図６】同仕組みを示す斜視図。
【図７】同仕組みを示す平面図。
【符号の説明】
【００１９】
1  浴槽
2  ジェットユニット
3  ホース
4  空気供給機
5  分流ユニット兼用ジェットユニット
6  ホース
7  開放ジェットユニット
8  吸盤
9  開閉バブル口
10  開閉バブル口の風量切替キャップ
【図１】
2008054895.tif 000003
【図２】
2008054895.tif 000004
【図３】
2008054895.tif 000005
【図４】
2008054895.tif 000006
【図５】
2008054895.tif 000007
【図６】
2008054895.tif 000008
【図７】
2008054895.tif 000009